(57)【要約】      （修正有）【課題】発光状態のバリエーションを増やして各ブロックを組み合わせた場合における多彩な発光状態を提供する。【解決手段】光学体１は、光源を有する光源ブロック２と、光制御部を有し光源から出射された光を光制御部によって制御する光制御ブロック３と、光制御部によって制御された光を受け外部へ向けて発する発光ブロック４とを備える。光源ブロックと、光制御ブロック及び発光ブロックに、それぞれ筐体と、筐体の内外に配置されて所定の機能を有する機能部と、が設けられた。【効果】光源ブロックの光源から出射された光が、光制御ブロックの光制御部によって制御されて、発光ブロックから外部へ向けて発せられるため、発光状態のバリエーションを増やすことが可能になり、各ブロックを組み合わせた場合における多彩な発光状態を提供する。【選択図】図３
2018113233.tif 000002
【特許請求の範囲】
【請求項１】
光源を有する光源ブロックと、
光制御部を有し前記光源から出射された光を前記光制御部によって制御する光制御ブロックと、
前記光制御部によって制御された光を受け外部へ向けて発する発光ブロックとを備え、
前記光源ブロックと前記光制御ブロックと前記発光ブロックにそれぞれ筐体と前記筐体の内外に配置され所定の機能を有する機能部とが設けられた
光学体。
【請求項２】
前記光制御部として光を前記発光ブロックへ向けて導く導光部が設けられた
請求項１に記載の光学体。
【請求項３】
前記光制御部として光を分岐する分岐部が設けられた
請求項１に記載の光学体。
【請求項４】
前記光制御部として光を前記発光ブロックへ向けて導く導光部と光を分岐する分岐部とが設けられた
請求項１に記載の光学体。
【請求項５】
前記光源ブロックと前記光制御ブロックと前記発光ブロックに前記光源ブロックと前記光制御ブロックと前記発光ブロックの内の少なくとも二つを連結する連結部が形成された
請求項１、請求項２、請求項３又は請求項４に記載の光学体。
【発明の詳細な説明】
【技術分野】
【０００１】
本発明は、光源から出射された光を外部へ向けて発する光学体についての技術分野に関する。
【背景技術】
【０００２】
立方体や直方体等のブロック状に形成され光を外部へ向けて発する光学体がある（例えば、特許文献１及び特許文献２参照）。
【０００３】
特許文献１に記載された光学体にあっては、所定の波長の励起光が照射されることにより蛍光を発する希土類錯体又は有機色素を含有する樹脂によって光源ブロックが形成され、励起光を受けることにより蛍光が発せられる。
【０００４】
特許文献２に記載された光学体にあっては、光源として発光ダイオード（ＬＥＤ）が配置され、光源から出射された光が所定の位置から発せられる。
【先行技術文献】
【特許文献】
【０００５】
【特許文献１】特開２００４−２２９８１７号公報
【特許文献２】特開２００９−１６５５９３号公報
【発明の概要】
【発明が解決しようとする課題】
【０００６】
ところで、上記のような光学体においては、各ブロックが光を発する発光機能を有しており各ブロックから光が発せられる構成にされており、発光状態のバリエーションが乏しく、各ブロックを組み合わせた場合においても多彩な発光状態を提供することが困難である。
【０００７】
そこで、本発明光学体は、上記した問題点を克服し、発光状態のバリエーションを増やして各ブロックを組み合わせた場合における多彩な発光状態を提供することを目的とする。
【課題を解決するための手段】
【０００８】
第１に、本発明に係る光学体は、光源を有する光源ブロックと、光制御部を有し前記光源から出射された光を前記光制御部によって制御する光制御ブロックと、前記光制御部によって制御された光を受け外部へ向けて発する発光ブロックとを備え、前記光源ブロックと前記光制御ブロックと前記発光ブロックにそれぞれ筐体と前記筐体の内外に配置され所定の機能を有する機能部とが設けられたものである。
【０００９】
これにより、光源ブロックの光源から出射された光が光制御ブロックの光制御部によって制御されて発光ブロックから外部へ向けて発せられる。
【００１０】
第２に、上記した本発明に係る光学体においては、前記光制御部として光を前記発光ブロックへ向けて導く導光部が設けられることが望ましい。
【００１１】
これにより、光源ブロックから出射された光が導光部によって導かれて発光ブロックに入射される。
【００１２】
第３に、上記した本発明に係る光学体においては、前記光制御部として光を分岐する分岐部が設けられることが望ましい。
【００１３】
これにより、光源ブロックから出射された光が分岐部によって分岐されて発光ブロックに入射される。
【００１４】
第４に、上記した本発明に係る光学体においては、前記光制御部として光を前記発光ブロックへ向けて導く導光部と光を分岐する分岐部とが設けられることが望ましい。
【００１５】
これにより、光源ブロックから出射された光が導光部によって導かれて発光ブロックに入射されると共に光源ブロックから出射された光が分岐部によって分岐されて発光ブロックに入射される。
【００１６】
第５に、上記した本発明に係る光学体においては、前記光源ブロックと前記光制御ブロックと前記発光ブロックに前記光源ブロックと前記光制御ブロックと前記発光ブロックの内の少なくとも二つを連結する連結部が形成されることが望ましい。
【００１７】
これにより、連結部によって光源ブロックと光制御ブロックと発光ブロックの内の少なくとも二つが連結される。
【発明の効果】
【００１８】
本発明によれば、光源ブロックの光源から出射された光が光制御ブロックの光制御部によって制御されて発光ブロックから外部へ向けて発せられるため、発光状態のバリエーションを増やすことが可能になり各ブロックを組み合わせた場合における多彩な発光状態を提供することができる。
【図面の簡単な説明】
【００１９】
【図１】図２乃至図２８と共に本発明の実施の形態を示すものであり、本図は、光学体の斜視図である。
【図２】光学体の形状の例を示す斜視図である。
【図３】光源ブロックと光制御ブロックと発光ブロックの組み合わせの構造の一例を示す斜視図である。
【図４】光源ブロックと光制御ブロックと発光ブロックの組み合わせの構造の一例を示す斜視図である。
【図５】光源ブロックと光制御ブロックと発光ブロックの組み合わせの構造の一例を示す斜視図である。
【図６】光源ブロックと光制御ブロックと発光ブロックの組み合わせの構造の一例を示す斜視図である。
【図７】光源ブロックと光制御ブロックと発光ブロックの組み合わせの構造の一例を示す斜視図である。
【図８】光源ブロックと光制御ブロックと発光ブロックの組み合わせの構造の一例を示す斜視図である。
【図９】光源ブロックと光制御ブロックと発光ブロックを連結する連結部の一例を示す側面図である。
【図１０】光源ブロックと光制御ブロックと発光ブロックを連結する連結部の一例を示す側面図である。
【図１１】光源ブロックと光制御ブロックと発光ブロックを連結する連結部の一例を示す側面図である。
【図１２】光源ブロックと光制御ブロックと発光ブロックを連結する連結部の一例を示す斜視図である。
【図１３】光源ブロックと光制御ブロックと発光ブロックを連結する連結部の一例を示す斜視図である。
【図１４】光源ブロックの具体的な構造の例を示す概念図である。
【図１５】光制御ブロックの具体的な構造の例を示す概念図である。
【図１６】光制御ブロックの具体的な構造において導光部が設けられた例を示す概念図である。
【図１７】光制御ブロックの具体的な構造において別の導光部が設けられた例を示す概念図である。
【図１８】光制御ブロックの具体的な構造においてまた別の導光部が設けられた例を示す概念図である。
【図１９】光制御ブロックの具体的な構造において分岐部が設けられた例を示す概念図である。
【図２０】光制御ブロックの具体的な構造において別の分岐部が設けられた例を示す概念図である。
【図２１】光制御ブロックの具体的な構造において二つの導光部が設けられた例を示す概念図である。
【図２２】光制御ブロックの具体的な構造において導光部と分岐部が設けられた例を示す概念図である。
【図２３】発光ブロックの具体的な構造において反射粒子又は空洞が形成された例を示す概念図である。
【図２４】発光ブロックの具体的な構造において蛍光体が設けられた例を示す概念図である。
【図２５】発光ブロックの具体的な構造において反射粒子又は空洞と蛍光体が混合された例を示す概念図である。
【図２６】発光ブロックの具体的な構造において凹凸部が形成された例を示す概念図である。
【図２７】発光ブロックの具体的な構造において分岐部と反射粒子等が設けられた例を示す概念図である。
【図２８】光源ブロックと光制御ブロックと発光ブロックの組み合わせの構造において二つの光源ブロックが設けられた例を示す概念図である。
【発明を実施するための形態】
【００２０】
以下に、本発明を実施するための形態について添付図面を参照して説明する。
【００２１】
以下に示した光学体は各種の照明として機能し、例えば、車輌用灯具、各種の電子機器に組み込まれる照明、商業施設やイベントブース等におけるインテリア照明、住居やビル等の建造物における屋内照明、街灯としての使用や建造物に取り付けられる屋外照明、玩具やゲーム等における照明、各種の作業や工事等における照明機器等の各種の照明として広く適用することができる。
【００２２】
＜光学体の全体構成＞
以下に、光学体１の全体構成について説明する（図１参照）。
【００２３】
光学体１は少なくとも一つずつの光源ブロック２と光制御ブロック３と発光ブロック４を有している。光学体１は光源ブロック２と光制御ブロック３と発光ブロック４を任意の形態で組み合わせて使用することが可能にされている。尚、以下において参照する各図には一例として光源ブロック２と光制御ブロック３と発光ブロック４の符号を付しており、各図において光源ブロック２と光制御ブロック３と発光ブロック４の位置関係を任意に変更した構造として構成することが可能である。
【００２４】
光源ブロック２と光制御ブロック３と発光ブロック４は外形状が任意の形状に形成されており、例えば、四面体、六面体、八面体、十二面体、二十面体等の各種の多面体に形成されている（図２参照）。多面体は各面の形状と大きさが同じにされた正多面体であってもよく、各面の形状や大きさが異なる多面体であってもよい。
【００２５】
また、光源ブロック２と光制御ブロック３と発光ブロック４は、外形状を、例えば、三角柱、三角錐、四角柱、四角錐、円柱、円錐等の各種の形状に形成することができる。
【００２６】
さらに、光源ブロック２と光制御ブロック３と発光ブロック４は、外形状を、例えば、球面と少なくとも一つの平面又は曲面によって構成された形状、楕円面と少なくとも一つの平面又は曲面によって構成された形状、任意の曲面と少なくとも一つの平面又は曲面によって構成された形状に形成することできる。
【００２７】
尚、光源ブロック２と光制御ブロック３と発光ブロック４が平面を有する形状に形成されることにより、光源ブロック２と光制御ブロック３と発光ブロック４の内の任意の二つを組み合わせる（連結する）ときに平面同士を突き合わせて面接触の状態で連結することが可能になり、良好な連結状態を容易に確保することできる。但し、光源ブロック２と光制御ブロック３と発光ブロック４が曲面を有する場合に、連結する一方の凸面と他方の凹面を突き合わせて面接触の状態で連結することも可能である。
【００２８】
また、光源ブロック２と光制御ブロック３と発光ブロック４は、例えば、樹脂材料等の有機材料又はガラスや金属等の無機材料の何れの材料によって形成されていてもよく、これらの有機材料と無機材料が組み合わされて形成されていてもよい。光源ブロック２と光制御ブロック３と発光ブロック４の内部構造としては、内部に空間を有しない無垢の構造、一部がくり抜かれた構造、内部に空間を有する中空構造、骨組み構造、レーザー加工等によって内部加工が施された構造等の何れの構造であってもよい。
【００２９】
＜組み合わせ構造の態様＞
次に、光源ブロック２と光制御ブロック３と発光ブロック４の組合せ構造（連結構造）の態様例について説明する（図３乃至図８参照）。
【００３０】
光源ブロック２と光制御ブロック３と発光ブロック４は任意の態様に組み合わせて用いられる。この場合に光源ブロック２と光制御ブロック３と発光ブロック４の組合せの数は、少なくとも一つずつが設けられていれば任意である。
【００３１】
光源ブロック２と光制御ブロック３と発光ブロック４の組合せの態様（連結の態様）としては、例えば、光源ブロック２と光制御ブロック３と発光ブロック４が順に並んで組み合わされた態様（図３参照）や一つ又は複数の光源ブロック２と光制御ブロック３と発光ブロック４が所定の形状に組み合わされた態様（図４乃至図６参照）がある。
【００３２】
尚、複数の光源ブロック２と複数の発光ブロック４が組み合わされた態様においては、例えば、図５に示すように、一方の光源ブロック２から緑色Ｇの光が出射され他方の光源ブロック２から赤色Ｒの光が出射され、各発光ブロック４、４からそれぞれ緑色Ｇと赤色Ｒの光が発せられ、緑色Ｇの光の一部と赤色Ｒの光の一部とがそれぞれ光制御ブロック３、３によって分岐されて他の光制御ブロック４に入射され、この他の光制御ブロック４において緑色Ｇの光と赤色Ｒの光とが混合されて黄色Ｙの光が発せられるような構成にすることが可能である。また、このような２色の混合による発光以外にも、例えば、３色以上の光の混合により白色光等の混合前とは異なる色の光が発せられる構成にすることも可能である。
【００３３】
また、光源ブロック２と光制御ブロック３と発光ブロック４の組合せの態様としては、例えば、複数の光源ブロック２、光制御ブロック３又は発光ブロック４が単一の光源ブロック２、光制御ブロック３又は発光ブロック４に連結されて組み合わされた態様（図７参照）であってもよい。
【００３４】
さらに、光源ブロック２と光制御ブロック３と発光ブロック４が離隔した状態で配置板等の配置部材５に配置されて組み合わされた態様（図８参照）であってもよい。但し、この場合には、光源ブロック２と光制御ブロック３と発光ブロック４の各隙間において光の漏れや光の減衰等が生じないか又は少ない範囲で光源ブロック２と光制御ブロック３と発光ブロック４の間隔が設定されることが望ましい。
【００３５】
＜連結部の構成＞
続いて、光源ブロック２と光制御ブロック３と発光ブロック４を連結する連結部の構成について説明する（図９乃至図１３参照）。
【００３６】
光源ブロック２と光制御ブロック３と発光ブロック４に突状の連結部６又は凹状の連結部７が形成され、連結部６が連結部７に嵌合されて光源ブロック２と光制御ブロック３と発光ブロック４の内の何れか二つが連結される構成がある（図９参照）。この場合に連結部６と連結部７が嵌合された状態で両者が接着等により結合されてもよく、連結部６が連結部７に圧入されることにより結合されてもよい。また、光源ブロック２、光制御ブロック３又は発光ブロック４に複数の連結部６又は複数の連結部７が形成されていてもよく、連結部６と連結部７の双方が同じブロックに形成されていてもよい。
【００３７】
このように、光源ブロック２と光制御ブロック３と発光ブロック４に光源ブロック２と光制御ブロック３と発光ブロック４の内の少なくとも二つを連結する連結部６、７が形成されることにより、連結部６、７によって光源ブロック２と光制御ブロック３と発光ブロック４の内の少なくとも二つが連結されるため、光源ブロック２と光制御ブロック３、光源ブロック２と発光ブロック４又は光制御ブロック３と発光ブロック４の連結を容易に行うことができる。
【００３８】
また、ネジやビスやピン等の締結部材を連結部８として用いてもよく（図１０参照）、板状の部材を所定の形状に加工して形成した連結部材を連結部９として用いてもよい（図１１参照）。このような場合において、図１０及び図１１に示すように、連結部６と連結部７が嵌合された状態で連結部８、９が用いられてもよい。
【００３９】
さらに、光源ブロック２と光制御ブロック３と発光ブロック４の連結をガイド機能を有する連結部１０を用いて行うことも可能である（図１２参照）。連結部１０は平板状の受板部１０ａと同じ方向に延びるガイド部１０ｂ、１０ｂ、・・・とを有し、ガイド部１０ｂ、１０ｂ、・・・の一端がそれぞれ受板部１０ａの四隅に結合されている。ガイド部１０ｂ、１０ｂ、・・・は延びる方向に直交する方向において直角に折り曲げられた形状に形成されている。
【００４０】
光源ブロック２と光制御ブロック３と発光ブロック４はガイド部１０ｂ、１０ｂ、・・・の内側に受板部１０ａの反対側から挿入され、四つの角部がそれぞれガイド部１０ｂ、１０ｂ、・・・の内面に案内されて連結される。尚、光源ブロック２と光制御ブロック３と発光ブロック４が連結された状態において、光源ブロック２と光制御ブロック３と発光ブロック４の連結部１０からの脱落を防止するために受板部１０ａの反対側から図示しない蓋部をガイド部１０ｂ、１０ｂ、・・・の他端部に取り付けてもよい。
【００４１】
このような連結部１０を用いることにより、光源ブロック２と光制御ブロック３と発光ブロック４がガイド部１０ｂ、１０ｂ、・・・の内側に挿入されることにより光源ブロック２と光制御ブロック３と発光ブロック４を位置決めした状態で連結することが可能になり、光源ブロック２と光制御ブロック３と発光ブロック４の連結を容易かつ正確に行うことができる。
【００４２】
尚、連結部１０の受板部１０ａの大きさやガイド部１０ｂ、１０ｂ、・・・の長さを変更することにより、光源ブロック２と光制御ブロック３と発光ブロック４の連結状態や連結数を任意に変更することが可能になる（図１３参照）。
【００４３】
＜光源ブロックの具体的な構成＞
続いて、光源ブロック２の具体的な構成例について説明する（図１４参照）。
【００４４】
光源ブロック２は、例えば、直方体状又は立方体状の筐体１１と筐体１１の内外に配置され所定の機能を有する機能部とを備えている。機能部は、例えば、以下に示すヒートシンク１２、基板１３、光源１４、レンズ１５、給電端子１６、電源部１７、制御部１８等の各部を含むものであり、これらの各部以外でも筐体１１の内外に配置され所定の機能を有する部分であればよい。
【００４５】
筐体１１の内部には、例えば、放熱性を有するヒートシンク１２とヒートシンク１２に取り付けられた基板１３と基板１３に搭載された光源１４と光源１４から出射される光が入射されるレンズ１５とが配置されている。
【００４６】
ヒートシンク１２は基板搭載部１２ａと基板搭載部１２ａから同じ方向へ突出された複数の放熱フィン１２ｂ、１２ｂ、・・・とを有している。光源１４の点灯時に発生する熱は放熱フィン１２ｂ、１２ｂ、・・・を介して光源ブロック２の外部に放出される。
【００４７】
光源１４としては、例えば、発光ダイオード（ＬＥＤ）やレーザー光源等が用いられている。光源１４から出射された光はレンズ１５に入射され、レンズ１５によって、例えば、平行光とされて光源ブロック２から光制御ブロック３又は発光ブロック４に入射される。
【００４８】
筐体１１には給電端子１６が取り付けられている。給電端子１６には電源部１７が接続され、電源部１７は制御部１８によって給電端子１６に給電される電源の制御が行われる。制御部１８には外部情報、例えば、センサー等によって検出された検出情報（検出信号）が入力され、入力された検出情報に基づいて制御部１８によって、例えば、点消灯制御や照度の調整制御や色度の調整制御等の光源１４から出射される光に関する各制御が行われる。
【００４９】
尚、光学体１に複数の光源ブロック２、２、・・・が設けられている場合には、光源ブロック２、２、・・・の給電端子１６、１６、・・・に電源部１７が接続されていてもよい。
【００５０】
また、電源部１７と制御部１８は光源ブロック２の内部に設けられていてもよい。さらに、光源ブロック２は内部に光源１４が配置されていれば上記以外の他の構成にされていてもよく、例えば、筐体１１の内部にリフレクターが配置され光源１４から出射された光がリフレクターで反射されて光制御ブロック３又は発光ブロック４に入射される構成にされていてもよい。さらに、光源ブロック２の内部にレンズ１５とリフレクターの双方が配置されていてもよい。
【００５１】
＜光制御ブロックの具体的な構成＞
次に、光制御ブロック３の具体的な構成例について説明する（図１５乃至図２２参照）。光制御ブロック３は、例えば、直方体状又は立方体状の筐体１９と筐体１９の内外に配置され所定の機能を有する機能部とを備えている。機能部は、例えば、以下に示す導光部２０、導光部２３、分岐部２４、分岐部２５等の各部を含むものであり、これらの各部以外でも筐体１９の内外に配置され所定の機能を有する部分であればよい。
【００５２】
光制御ブロック３には、例えば、光を所定の方向へ導く導光用の光制御ブロック３Ａと光を分岐する分岐用の光制御ブロック３Ｂとが存在する。
【００５３】
先ず、光制御ブロック３Ａについて説明する（図１５乃至図１８参照）。
【００５４】
光制御ブロック３Ａとしては、例えば、光が第１の面３ａから入射され直進されて第１の面３ａの反対側の第２の面３ｂから出射される構成にされたものがある（図１５参照）。
【００５５】
また、光制御ブロック３Ａとして、例えば、光が第１の面３ａから入射され折り曲げられて出射される構成にされたものがある（図１６及び図１７参照）。
【００５６】
この場合には、例えば、筐体１９の内部に導光部２０として機能する鏡面等の反射面部が設けられている（図１６参照）。導光部２０は光を所定の方向へ導くように制御する光制御部として機能し、第１の面３ａと第１の面３ａに直交する第３の面３ｃとに対して傾斜されている。また、導光部２０は第１の面３ａと平行にされ、第１の面３ａから入射された光が１８０度反射されて入射方向と反対方向へ向かい第１の面３ａから出射される構成にされていてもよい（図１７照）。
【００５７】
また、図１８に示すように、光制御ブロック３Ａが２分割された三角柱状の第１の部分２１と第２の部分２２が結合されて構成され、第１の部分２１と第２の部分２２の少なくとも一方の結合面に金属蒸着が施され結合面が反射面とされた導光部２３として形成されていてもよい。導光部２３は光を所定の方向へ導くように制御する光制御部として機能し、第１の面３ａと第３の面３ｃに対して傾斜されている。
【００５８】
尚、光制御ブロック３Ａにおいては光の減衰が少ないことが好ましく、光制御ブロック３Ａとしては透明な材料又は透明度の高い材料によって形成されることが望ましい。また、光制御ブロック３Ａにおいては、内部に空間を有する中空構造に形成したり、光の入射面や出射面にコーティングやフィルムによる反射防止処理を施し、光の減衰を低減してもよい。さらに、光制御ブロック３Ａにおいては、透明度を低減させる材料を混合したり、微細加工により内部で乱反射を生じさせたりすることにより、導光時に一部の光が外部に発せられるようにして光制御ブロック３Ａの内部において光が通過している状態を外部から視認できる構成にすることも可能である。
【００５９】
次に、光制御ブロック３Ｂについて説明する（図１９乃至図２１参照）。
【００６０】
光制御ブロック３Ｂとしては、例えば、光が第１の面３ａから入射され分岐された光が第１の面３ａの反対側の第２の面３ｂと第１の面３ａに直交する第３の面３ｃとから出射される構成にされたものがある（図１９及び図２０参照）。
【００６１】
この場合には、例えば、筐体１９の内部に分岐部２４として機能するハーフミラーが設けられている（図１９参照）。分岐部２４は光を分岐するように制御する光制御部として機能し、第１の面３ａと第３の面３ｃに対して傾斜されている。
【００６２】
また、図２０に示すように、光制御ブロック３Ｂが２分割された三角柱状の第１の部分２１と第２の部分２２が結合されて構成され、第１の部分２１と第２の部分２２の少なくとも一方の結合面に金属蒸着（ハーフ蒸着）が施され結合面が反射面かつ透過面とされた分岐部２５として形成されていてもよい。分岐部２５は光を分岐するように制御する光制御部として機能し、第１の面３ａと第３の面３ｃに対して傾斜されている。
【００６３】
光制御ブロック３Ｂにおいては、複数の分岐部２４（２５）が設けられていてもよい（図２１参照）。例えば、入射された光の直進方向に二つの分岐部２４、２４を設け、分岐部２４、２４の向きを異ならせることにより、光を３方向に分岐することが可能である。尚、光制御ブロック３Ｂに設けられる分岐部２４（２５）の数は任意であり、分岐部２４（２５）の数により光を４方向以上に分岐することも可能である。
【００６４】
尚、光制御ブロック３Ｂにおいては光の減衰が少ないことが好ましく、光制御ブロック３Ｂとしては透明な材料又は透明度の高い材料によって形成されることが望ましい。また、光制御ブロック３Ｂにおいては、内部に空間を有する中空構造に形成したり、光の入射面や出射面にコーティングやフィルムによる反射防止処理を施し、光の減衰を低減してもよい。さらに、光制御ブロック３Ｂにおいては、透明度を低減させる材料を混合したり、微細加工により内部で乱反射を生じさせたりすることにより、分岐時に一部の光が外部に発せられるようにして光制御ブロック３Ｂの内部において光が通過している状態を外部から視認できる構成にすることも可能である。また、分岐部２４又は分岐部２５の光の透過率を調整することにより、光の各方向への分岐の割合を任意に定めることも可能である。
【００６５】
尚、光学体１においては、導光機能と分岐機能を有する光制御ブロック３Ｃが設けられていてもよい（図２２参照）。
【００６６】
光制御ブロック３Ｃは、例えば、内部に分岐部２４（２５）と導光部２０（２３）が設けられている。光制御ブロック３Ｃにおいては、第１の面３ａから入射された光が分岐部２４（２５）によって分岐されて第３の面３ｃから出射されると共に導光部２０（２３）へ向かい、導光部２０（２３）へ向かった光が導光部２０（２３）で折り曲げられて別の第３の面３ｃから出射される。
【００６７】
＜発光ブロックの具体的な構成＞
次いで、発光ブロック４の具体的な構成例について説明する（図２３乃至図２７参照）。
【００６８】
発光ブロック４は、例えば、直方体状又は立方体状の筐体２６と筐体２６の内外に配置（混入）され所定の機能を有する機能部とを備えている。機能部は、例えば、以下に示す粒子２７、空洞２８、蛍光体２９、凹凸部３０等の各部を含むものであり、これらの各部以外でも筐体２６の内外に配置され所定の機能を有する部分であればよい。
【００６９】
筐体２６の内部には、例えば、光を乱反射する反射粒子２７、２７、・・・が混入されている（図２３参照）。また、反射粒子２７、２７、・・・に代えて小径の空洞２８、２８、・・・が形成されていてもよい。尚、反射粒子２７、２７、・・・と空洞２８、２８、・・・が入り混じった状態にされていてもよい。
【００７０】
発光ブロック４に光が入射されると、反射粒子２７、２７、・・・又は空洞２８、２８、・・・によって入射された光が乱反射され、外部へ向けて光が発せられる。
【００７１】
また、筐体２６の内部には、例えば、蛍光体２９、２９、・・・が混入されていてもよい（図２４参照）。この場合には、発光ブロック４に光が入射されると、蛍光体２９、２９、・・・によって波長の変換が行われ所定の色に変換された光が外部へ向けて発せられる。
【００７２】
尚、筐体２６の内部に反射粒子２７、２７、・・・と蛍光体２９、２９、・・・が混入されていてもよく、空洞２８、２８、・・・と蛍光体２９、２９、・・・が入り混じった状態にされていてもよい（図２５参照）。また、筐体２６の内部に反射粒子２７、２７、・・・と空洞２８、２８、・・・と蛍光体２９、２９、・・・が入り混じった状態にされていてもよい。
【００７３】
さらに、発光ブロック４においては、筐体２６の表面部分に微小な凹凸部３０、３０、・・・が形成され、凹凸部３０、３０、・・・によって光が乱反射されて発せられる構成にすることも可能である（図２６参照）。また、筐体２６に凹凸部３０、３０、・・・が形成された構成において、筐体２６の内部に反射粒子２７、２７、・・・と空洞２８、２８、・・・と蛍光体２９、２９、・・・の少なくとも一つが存在する構成にされていてもよい。
【００７４】
また、筐体２６の内部に分岐部２４又は分岐部２５を設け、筐体２６の内部における分岐部２４、２５によって仕切られた半分の側に反射粒子２７、２７、・・・、空洞２８、２８、・・・又は蛍光体２９、２９、・・・の内の少なくとも一つが混入されていてもよい（図２７参照）。この場合には、発光ブロック４に光が入射されると分岐部２４、２５で光が分岐され、分岐部２４、２５で反射された光が発光ブロック４から発せられると共に分岐部２４、２５を透過された光が反射粒子２７、２７、・・・等によって散乱されて発光ブロック４から発せられる。尚、この場合に、筐体２６の内部における分岐部２４、２５によって仕切られた半分の側の表面部分に凹凸部３０、３０、・・・が形成されていてもよい。
【００７５】
＜その他＞
光学体１において、上記したように、光源ブロック２と光制御ブロック３と発光ブロック４の組合せの数は、少なくとも一つずつが設けられていれば任意である。
【００７６】
従って、光源ブロック２と光制御ブロック３と発光ブロック４の組合せの数が多くなる場合に、例えば、複数の光源ブロック２を組み合わせ、発光ブロック４に近い位置に少なくとも一つの光源ブロック２を配置することが可能である（図２８参照）。このような構成にすることにより、例えば、一方の光源ブロック２から出射された光の経路が長く発光ブロック４に到達するまでに光の減衰が大きくなる場合に、発光ブロック４に近い位置に配置された他方の光源ブロック２から出射された光によって減衰した光を補うことが可能になり、発光ブロック４から発せられる光の輝度の低下を防止することができる。
【００７７】
また、光学体１においては、発光ブロック４から発せられる光によって画像や映像がスクリーン等に映し出されるような投影光学系を有する構成にすることも可能である。
【００７８】
＜まとめ＞
以上に記載した通り、光学体１にあっては、光源１４を有する光源ブロック２と、光制御部を有し光源１４から出射された光を光制御部によって制御する光制御ブロック３と、光制御部によって制御された光を受け外部へ向けて発する発光ブロック４とを備え、光源ブロック２と光制御ブロック３と発光ブロック４にそれぞれ筐体１１、１９、２６と筐体１１、１９、２６の内外に配置され所定の機能を有する機能部とが設けられている。
【００７９】
従って、光源ブロック２の光源１４から出射された光が光制御ブロック３の光制御部によって制御されて発光ブロック４から外部へ向けて発せられるため、発光状態のバリエーションを増やすことが可能になり各ブロックを組み合わせた場合における多彩な発光状態を提供することができる。
【００８０】
また、光制御部として光を発光ブロック４へ向けて導く導光部２０、２３が設けられた場合には、光源ブロック２から出射された光が導光部２０、２３によって導かれて発光ブロック４に入射されるため、発光ブロック４に光を確実に入射させることができると共に光制御ブロック３の機能性の向上を図ることができる。
【００８１】
一方、光制御部として光を分岐する分岐部２４、２５が設けられた場合には、光源ブロック２から出射された光が分岐部２４、２５によって分岐されて発光ブロック４に入射されるため、光を必要とされる複数の方向へ導くことができると共に光制御ブロック３の機能性の向上を図ることができる。
【００８２】
さらに、光制御部として光を発光ブロック４へ向けて導く導光部２０、２３と光を分岐する分岐部２４、２５とが設けられた場合には、光源ブロック２から出射された光が分岐部２４、２５によって分岐されて発光ブロック４に入射されると共に導光部２０、２３によって導かれて発光ブロック４に入射される。
【００８３】
従って、光を必要とされる複数の方向へ導くことができる上に発光ブロック４に光を確実に入射させることができると共に光制御ブロック３の機能性の向上を図ることができる。
【符号の説明】
【００８４】
１…光学体、２…光源ブロック、３…光制御ブロック、４…発光ブロック、６…連結部、７…連結部、８…連結部、９…連結部、１０…連結部、１４…光源、３Ａ…光制御ブロック、３Ｂ…光制御ブロック、２０…導光部、２３…導光部、２４…分岐部、２５…分岐部
【図１】
2018113233.tif 000003
【図２】
2018113233.tif 000004
【図３】
2018113233.tif 000005
【図４】
2018113233.tif 000006
【図５】
2018113233.tif 000007
【図６】
2018113233.tif 000008
【図７】
2018113233.tif 000009
【図８】
2018113233.tif 000010
【図９】
2018113233.tif 000011
【図１０】
2018113233.tif 000012
【図１１】
2018113233.tif 000013
【図１２】
2018113233.tif 000014
【図１３】
2018113233.tif 000015
【図１４】
2018113233.tif 000016
【図１５】
2018113233.tif 000017
【図１６】
2018113233.tif 000018
【図１７】
2018113233.tif 000019
【図１８】
2018113233.tif 000020
【図１９】
2018113233.tif 000021
【図２０】
2018113233.tif 000022
【図２１】
2018113233.tif 000023
【図２２】
2018113233.tif 000024
【図２３】
2018113233.tif 000025
【図２４】
2018113233.tif 000026
【図２５】
2018113233.tif 000027
【図２６】
2018113233.tif 000028
【図２７】
2018113233.tif 000029
【図２８】
2018113233.tif 000030